(57)【要約】      （修正有）【課題】和服を着て外出する際、洗面所などでの手洗い、会食の際などで、着物の袖の汚れが気になることがあり、袖の汚れの防止でき、かつ着脱も容易で着た際の見栄えもよい袖覆い具を提供する。【解決手段】防水性あるいは撥水性のある布地で形成した左右一対の袖カバー１と、この左右のカバーの袖山１１と外袖の袖付け３の交点間１２に両端部分を縫い付けたＵ字状あるいは逆台形状をした紐で連結した。【選択図】図３
2011102452.tif 000002
【特許請求の範囲】
【請求項１】
和服の左右の袖をそれぞれ内部に収容する左右一対の布製袖カバーと、この一対の袖カバーの袖山と外袖の袖付けとの交点部分間を連結した帯状の紐とからなる袖覆い具であって、前記紐は所定の幅と厚みを有する布で構成し、この紐の両端部を前記袖山と外袖の袖付けとの交点部分にそれぞれ縫いつけたことを特徴とする和服の袖覆い具。
【発明の詳細な説明】
【技術分野】
【０００１】
本発明は、和服特に振袖の様な晴れ着を着て外出する時、車の運転、突然の雨天、又外出先での洗面所等、水に接する場所で着物の袖の水濡れ、汚れを防ぐ為の和服の袖覆い具に関する。又晴れ着としての外見を害さず、速やかに着脱可能な袖覆い具に関する。
【背景技術】
【０００２】
和服を着ての水仕事や洗面所等で用事をする時、従来は着物の袖口や袖の汚れ、水濡れを防ぐには、例えば特許文献１、特許文献２に記載されたものがある。
【０００３】
特許文献1の場合，各々の袖口にゴム紐を内装した左右一対の腕カバーにその袖口と反対側の端部に伸縮性の紐を取り付け、着用時伸縮性の紐を首の後ろに回し掛け、夫々の左右の腕カバーに腕を通して使用する衣服カバーがある。
【０００４】
特許文献2の様に両袖部と胸当て部分の連係した丈の短い割烹着の様な体をなした物で、袖口にゴム紐を内装した両袖に腕を通した後、外袖側の上端部に取り付けたアジャスターで長さを調節した伸縮性の紐を首に掛け、次に両腰裏側に取り付けた紐を後ろ手で結び使用する衣服カバーがある。
【先行技術文献】
【特許文献】
【０００５】
【特許文献１】特開２００５−２９０６４２号公報
【特許文献２】特開２００７−１００２６４号公報
【発明の概要】
【発明が解決しようとする課題】
【０００６】
特許文献1の様な袖だけの衣服カバーでは、左右一対の腕カバーに伸縮性の紐を連結した構造であるから、晴れ着の長い振袖をこの袖カバーの中に入れるには、袖カバーの袖上部の開き幅が狭く入れにくいいという問題がある。
【０００７】
又、この特許文献１には、細い伸縮性の紐が用いられていて、袖カバーの着用時にこの紐がねじれたり、後ろの首筋あたりにその細い紐が食い込んで首筋にさわり、そのことで首に不快感が生じるという問題がある。
【０００８】
特許文献２の衣服カバーは、外見上は丈の短い割烹着の体をなし、長時間の水仕事をする時には着物の袖や胸部分の水濡れ、汚れ防止には適しているが、晴れ着を着ての外出時、突然の降雨での瞬時の着用や、化粧室など狭い場所での着脱には不便さがあった。すなわちこの衣服カバーでは、左右の両腰裏側にある紐を結ぶ際、大きく結ばれた晴れ着の帯の太鼓部分の上で後ろ手で状態で結ばなければならず、慣れない場合には手間と時間が掛かるという問題があるし、又会食の際人前で割烹着のような衣服カバーを着用することは、マナーを損ない、晴れ着としての外見を自ら害するという問題がある。
【課題を解決するための手段】
【０００９】
このような課題を解決するために本発明は、和服の左右の袖を別々に収容する左右一対の防水性の袖カバーと、この一対の袖カバーの間を長さ的に余裕を持った、例えばＵ字状や逆台形状の紐で連結した和服の袖覆い具であって、前記紐はこれまでの紐より幅広な幅をもった帯状態の布帛で構成し、そのＵ字状や逆台形状の両端部を,前記袖カバーの両外袖側(すなわち後ろ身頃側)にある袖付け部分の上端部であって、しかも外袖側にこの紐がＵ字状や逆台形状を維持する角度をもって縫いつけた和服の袖覆い具を提供するものである。
【発明の効果】
【００１０】
上述したように、本発明による袖覆い具のＵ字状や逆台形状をした紐を背肩に掛けることで、これまでの伸縮性の細い紐のようにねじれて首筋に食い込むことを防止し、又後ろ手状態で紐を結ぶという手間もかからない、便利で使いがってのよい袖覆い具である。
【００１１】
又背肩にＵ字状の紐を掛けることで両袖カバーを体の左右前部にもってくることができ、片方、例えば左袖カバーには右手でつまんだ左袖をそのままの状態で、袖カバーの袖付け開口部に差し入れることができ、晴れ着の長い振袖であっても袖カバーの内側に容易に入れることができる。
この際、袖カバーの袖口部分にゴム紐を通すことで、ゴム紐の弾力でカバーの袖口は手首から抜け落ちないよう止められているので、袖を袖カバーにたやすく入れることができる。
【００１２】
加えてカバーの袖付け部分に固定用スナップを取り付けているので、このスナップを止めあうことで袖カバー内に入れた振袖が袖付け開口から外に落ち出ることを防止し、洗面や手洗いの際でも振袖を気にすることなく用を足すことができる。
【００１３】
さらに本発明の袖覆い具は、着た晴れ着を害さない図柄で防水又は撥水処理した布帛で構成しておけば、見栄えもよく、人前での食事、外出時の雨天、車の運転等にも使用可能である。
【図面の簡単な説明】
【００１４】
【図１】本発明の袖覆い具の全体図
【図２】本発明の袖覆い具を着用した後姿を示す図
【図３】本発明の袖覆い具を着用した前姿を示す図
【発明を実施するための形態】
【００１５】
以下、本発明の実施形態を図に基づいて説明する。
【００１６】
図１においては、１はナイロン布やポリエステル繊維布等の防水性のある布からなる左右一対の袖カバーであり、後ろ側に向く外袖側を示す。２は袖カバー１の袖口部分であり、この袖口部分２にゴム紐を通して適度な絞込み力をもった腕の出し口とする。３は袖付け部分を示す。
【００１７】
袖カバー1は筒袖ではなく、袖の前下部に丸みをもたせた小袖状の形とすることで振袖等着物の長い袖を収納するに足る容量を確保している。
【００１８】
４は逆台形状をした紐で、この紐４は一定幅、例えば８ｃｍの幅の帯状をなし、帯状の筒部の内側にはねじれを防ぐために三層の布空なる芯地を入れて紐におよそ０．５ｃｍの厚みを持たせてものである。更に袖山１１と外袖側上端部との交点１２から紐幅に相当する外袖の位置１３までにわたって、下さがりの傾斜角をつけた紐４の両端部を縫い付けている。
【００１９】
袖付け部分３のほぼ真ん中の位置には袖付けの内袖と外袖を止め合う固定用スナップ５を取り付け、袖カバー１内に入れた着物の袖を姿勢や動きの状態に関わりなく、袖付け３から外に落ちでることを防止している。
【００２０】
この袖覆い具を構成する布は、ナイロン布やポリエステル繊維布などの防水性、撥水性の素材であり、厚み的に薄く、柔軟性もあるので、これを使用しないときには極めて小さく折りたたむことができ、バッグや手提げ袋内に収容して持ち歩くことが可能である。したがって外出時の携帯にも殆ど負担にならなく、万が一の使用を考えて常に携帯することにも好都合である。
【符号の説明】
【００２１】
1    袖カバー
２    袖口部分
３    袖付け
４    逆台形状のも紐
５    固定用スナップ
１１  袖山
１２  袖山１１と袖付け３の交点    
１３  外袖側縫い付け部分
【図１】
2011102452.tif 000003
【図２】
2011102452.tif 000004
【図３】
2011102452.tif 000005